(57)【要約】【課題】  割り溝によって分割された支軸にブラシ台が回動可能に装着された歯ブラシであって、装着時に割り溝の隙間をなくして、ゴミや練り歯磨き剤を割り溝内に入り難くした歯ブラシを提供する。【解決手段】  歯ブラシ１は、柄本体２とブラシ毛３３が植設されたブラシ台３０とからなる。柄本体２の頭部３には、支軸１０が設けられている。支軸１０の先部１６は、割り溝１５によって少なくとも二つに分割されて内側に撓むように形成され、外側面に係止凸部１１が設けられている。ブラシ台３０には、支軸１０に回動可能に取り付けられる軸孔３５が形成されている。軸孔３５は、ブラシ台３０の裏面３２から表面３１に向かって孔径が狭くなる傾斜部３６を有し、軸孔３５の最狭部３６が、支軸１０の割り溝１５の隙間をなくす程度に支軸１０の先部１６を内側に撓めた状態で支軸１０の係止凸部１１に係止される。【選択図】        図２
2006102328.tif 000002
【特許請求の範囲】
【請求項１】
頭部と握り部を有する柄本体と、
表面側にブラシ毛が植設され、前記柄本体の頭部に回動可能に取り付けられたブラシ台とからなる歯ブラシであって、
前記柄本体の頭部には、支軸が設けられ、
前記支軸の先部は、割り溝によって少なくとも二つに分割されて内側に撓むように形成され、さらに外側面に係止凸部又は係止凹部が設けられており、
前記ブラシ台には、前記支軸に回動可能に取り付けられる軸孔が形成され、
前記ブラシ台の軸孔は、ブラシ台の裏面から表面に向かって孔径が狭くなる傾斜部を有し、軸孔の最狭部が、前記支軸の割り溝の隙間をなくす程度に支軸の先部を内側に撓めた状態で、前記支軸の係止凸部又は係止凹部に係止されていることを特徴とする歯ブラシ。
【発明の詳細な説明】
【技術分野】
【０００１】
この発明は、ブラシ毛が植設されたブラシ台が柄本体に回動可能に取り付けられた歯ブラシに関するものである。
【背景技術】
【０００２】
従来、ブラシ台の角度を調節することができる歯ブラシは、柄本体と、柄本体とは別個に形成されたブラシ台とからなる。ブラシ台は、表面側にブラシ毛が植設され、裏面側に支軸が設けられている。柄本体は、ブラシ台の支軸を回動可能に取り付ける軸孔が形成されている。ブラシ台は、支軸を柄本体の一方から軸孔に差し込み、柄本体の他方からキャップを支軸に固定し、柄本体から支軸が抜け出ないようにして、柄本体に回動可能に取り付けられている（例えば、特許文献１）。
【特許文献１】実用新案登録第３０１２４７５号公報
【発明の開示】
【発明が解決しようとする課題】
【０００３】
上記した従来の歯ブラシは、外側と内側の歯並びに合わせてブラシ台の角度を調節して歯磨きを行うことが出来るが、この歯磨き時に、キャップが口内の肉と当たり、不愉快な触感を感じる場合があった。また、上記した従来の歯ブラシは、柄本体側に支軸を設け、ブラシ台側に支軸を回動可能に取り付ける軸孔を形成しても構わない。係る場合、ブラシ台は、柄本体の支軸をブラシ台の裏面側から軸孔に差し込み、ブラシ台の表面側から上記したようにキャップを支軸に固定することによって柄本体に取り付けられるが、このような取付方は、ブラシ台の表面側にブラシ毛が植設されているので困難である。そのため、支軸を割り溝によって二分割し、先端に係止凸部を形成し、係止凸部をブラシ台の軸孔開口縁に係止させる構成が考えられる。しかし、この構成では、装着は簡単であるが、歯磨き時に、ブラシ毛によって掃除されたゴミや、練り歯磨き剤等が割り溝に入り易く、この入ったゴミや練り歯磨き剤等が割り溝から取り出し難いという問題点があった。ゴミ等が割り溝に入ったまま放置しておくと、雑菌を発生させ易いので、衛生上あまり好ましいものではない。
【０００４】
本願発明は、上記問題点に鑑み案出したものであって、割り溝によって分割された支軸をブラシ台の軸孔に装着時に、割り溝の隙間をなくして、ゴミや練り歯磨き剤等を割り溝内に入り難くした構造の歯ブラシを提供することを目的とする。
【課題を解決するための手段】
【０００５】
本願請求項１に係る歯ブラシは、上記目的を達成するため、頭部と握り部を有する柄本体と、表面側にブラシ毛が植設され、前記柄本体の頭部に回動可能に取り付けられたブラシ台とからなる歯ブラシであって、前記柄本体の頭部には、支軸が設けられ、前記支軸の先部は、割り溝によって少なくとも二つに分割されて内側に撓むように形成され、さらに外側面に係止凸部又は係止凹部が設けられており、前記ブラシ台には、前記支軸に回動可能に取り付けられる軸孔が形成され、前記ブラシ台の軸孔は、ブラシ台の裏面から表面に向かって孔径が狭くなる傾斜部を有し、軸孔の最狭部が、前記支軸の割り溝の隙間をなくす程度に支軸の先部を内側に撓めた状態で、前記支軸の係止凸部又は係止凹部に係止されている。
【発明の効果】
【０００６】
本願発明に係る歯ブラシは、ブラシ台の軸孔に柄本体の支軸を差し込んでいくと、支軸の先部が割り溝によって複数に分割されているので内側に撓んでいき、割り溝の隙間を閉じることができ、この閉じた状態で支軸の係止凸部又は係止凹部にブラシ台の軸孔の最挟
部が係止されて、ブラシ台が柄本体に回動可能に取り付けられる。このように、本願発明に係る歯ブラシは、組立が簡単で、安価に製造することができ、支軸の割り溝が閉じられているので、ゴミや練り歯磨き剤等が割り溝内に入ることを防ぐことができるという効果がある。
【発明を実施するための最良の形態】
【０００７】
本願発明に係る歯ブラシの実施の形態を図１乃至図９に基づいて説明する。図１は、本願発明に係る歯ブラシの一つの実施の形態を示す全体側面図である。図２は、図１の歯ブラシの要部断面図である。図３は、図１の歯ブラシを上方から視た要部上面図である。図４は、図１の歯ブラシの組立状態を示す要部断面図である。図５は、本願発明に係る歯ブラシの他の実施の形態を示す要部上面図である。図６は、本願発明に係る歯ブラシの他の実施の形態を示す要部断面図である。図７は、本願発明に係る歯ブラシの他の実施の形態を示す要部断面図である。図８は、図７の歯ブラシを上方から視た要部上面図である。図９は、図７の歯ブラシの組立状態を示す要部断面図である。
【０００８】
図１，２に示すように、歯ブラシ１は、頭部３と握り部５を有する柄本体２と、表面３１側にブラシ毛３３が植設され、前記柄本体２の頭部３に回動可能に取り付けられたブラシ台３０とからなる。前記柄本体２の頭部３には、支軸１０が設けられている。前記支軸１０の先部１６は、割り溝１５によって少なくとも二つに分割されて内側に撓むように形成され、さらに外側面に係止凸部１１又は係止凹部１４が設けられている。
【０００９】
前記ブラシ台３０には、前記支軸１０に回動可能に取り付けられる軸孔３５が形成されている。前記ブラシ台３０の軸孔３５は、ブラシ台３０の裏面３２から表面３１に向かって孔径が狭くなる傾斜部３６を有する。軸孔３５の最狭部３９は、前記支軸１０の割り溝１５の隙間をなくす程度に支軸１０の先部１６を内側に撓めた状態で、前記支軸１０の係止凸部１１又は係止凹部１４に係止されている。
【００１０】
さらに歯ブラシ１について詳細に説明する。図１に示すように、歯ブラシ１は、柄本体２とブラシ台３０とからなる。柄本体２は、一方に頭部３が形成され、他方に握り部５が形成されている。頭部３は、薄肉状に形成され、首部６を介して握り部５に連設されている。図４に示すように、頭部３の上面７側には、円形の台座９が設けられている。台座９には、柄本体２と略直角となる支軸１０が形成されている。柄本体２、台座９及び支軸１０は、ポリプロピレン等の合成樹脂によって一体成形されている。
【００１１】
支軸１０は、円軸状に形成され、先部周縁に係止凸部１１が形成されている。図４に示すように、係止凸部１１は、係止面１２と湾曲面１３を有する。係止面１２は、係止凸部１１の下部に形成され、支軸１０と略直角となっている。湾曲面１３は、外側に突出するように湾曲しており、係止面１２の外周縁と支軸１０の上端縁に連接されている。また、支軸１０は、略Ｕ字状の割り溝１５によって、先部１６が第１の半体１７と第２の半体１８の２つに分割されている。なお、図５に示すように、支軸１０を、直交する略Ｕ字状の割り溝１５，１９によって、先部１６を第１の部分２１、第２の部分２２、第３の部分２３と第４の部分２４の４つに分割しても構わない。
【００１２】
ブラシ台３０は、柄本体２と同様にポリプロピレン等の合成樹脂によって成形され、表面（上面）３１側にブラシ毛３３が植設されている。ブラシ台３０の略中央には、軸孔３５が形成されている。軸孔３５は、ブラシ台３０の裏面（下面）３２から表面（上面）３１に向かって孔径が狭くなる略円錐形状の傾斜部３６が形成されている。従って、軸孔３５によって形成されるブラシ台３０の表面（上面）３１の開口３７周縁が軸孔３５の最挟部３９となる。開口３７の内径は、第１の半体１７の上部と第２の半体１８の上部が接合して割り溝１５の隙間が閉じられた時の支軸１０の外径と略同じである。なお、ブラシ毛
３３は、ブラシ台３０の開口３７周囲に植設されていない。
【００１３】
図４に示すように、ブラシ台３０は、裏面３２を柄本体２側に向けて、軸孔３５に柄本体２の支軸１０を挿通して、柄本体２に回動可能に取り付けられる。支軸１０は、係止凸部１１の湾曲面１３が軸孔３５の傾斜部３６に当接すると、第１の半体１７と第２の半体１８が内側に撓んでいき、係止凸部１１がブラシ台３０の開口３７を突き抜ける前に、第１の半体１７の上部と第２の半体１８の上部が接合して割り溝１５の隙間が閉じられる。さらに、支軸１０を押し込むと、素材の弾性に抗して開口３７が若干拡開し、係止凸部１１が若干内側に変形するので、係止凸部１１が開口３７を突き抜ける。
【００１４】
図２に示すように、歯ブラシ１は、係止凸部１１が開口３７を突き抜けると、素材の弾性によって開口３７が元の内径に復帰し、係止凸部１１が元の形状に復帰して、係止凸部１１が軸孔３５の最挟部３９に係止される。支軸１０の割り溝１５の隙間は、開口３７の内径が第１の半体１７の上部と第２の半体１８の上部が接合して割り溝１５の隙間が閉じられた時の支軸１０の外径と略同じであるので、閉じられた状態が維持されている。このようにして、歯ブラシ１は、柄本体２の頭部３にブラシ台３０が回動可能に取り付けられる。
【００１５】
図５に示すように、支軸１０の先部１６が４分割された歯ブラシ１は、支軸１０の係止凸部１１の湾曲面１３が軸孔３５の傾斜部３６に当接すると、第１の部分２１、第２の部分２２、第３の部分２３及び第４の部分２４が内側に撓んでいき、係止凸部１１がブラシ台３０の開口３７を突き抜ける前に、第１の部分２１、第２の部分２２、第３の部分２３及び第４の部分２４の上部が接合して割り溝１５、１９の隙間が閉じられる。さらに、支軸１０を押し込むと、素材の弾性に抗して開口３７が若干拡開し、係止凸部１１が若干内側に変形するので、係止凸部１１が開口３７を突き抜ける。
【００１６】
図２に示すように、歯ブラシ１は、係止凸部１１が開口３７を突き抜けると、素材の弾性によって開口３７が元の内径に復帰し、係止凸部１１が元の形状に復帰して、係止凸部１１が軸孔３５の最挟部３９に係止される。図５（ｃ）に示すように、支軸１０の割り溝１５、１９の隙間は、開口３７の内径が第１の部品２１、第２の部品２２、第３の部品２３及び第４の部品２４の上部が接合して割り溝１５、１９の隙間が閉じられた時の支軸１０の外径と略同じであるので、閉じられた状態が維持されている。
【００１７】
図６に示すように、係止凸部１１の湾曲面１３が長く形成され、開口３７の内径が第１の半体１７の上部と第２の半体１８の上部が接合して割り溝１５の隙間が閉じられた時の支軸１０の外径より大きい場合について説明する。ブラシ台３０の軸孔３５に柄本体２の支軸１０を挿通すると、図６（ｂ）に示すように、支軸１０は、係止凸部１１の湾曲面１３が軸孔３５の傾斜部３６に当接し、第１の半体１７と第２の半体１８が内側に撓んでいき、係止凸部１１がブラシ台３０の開口３７を突き抜ける前に、第１の半体１７の上端と第２の半体１８の上端が接合して割り溝１５の隙間が閉じられる。さらに、支軸１０を押し込むと、図６（ｃ）に示すように、第１の半体１７の上端と第２の半体１８の上端の接合点４０を中心として、第１の半体１７と第２の半体１８が内側に撓み、係止凸部１１が内側に移動するので、係止凸部１１が開口３７に引っ掛かることなく擦り抜ける。
【００１８】
図６（ｄ）に示すように、歯ブラシ１は、係止凸部１１が開口３７を擦り抜けると、素材の弾性により、第１の半体１７及び第２の半体１８が接合点４０を中心として外側に拡開し、係止凸部１１が軸孔３５の最挟部３９に係止される。なお、支軸１０の割り溝１５の隙間は、第１の半体１７の上端と第２の半体１８の上端が接合したままであり、閉じた状態が維持されている。なお、図６（ｄ）に示すように、軸孔３５の最挟部３９に、支軸１０の係止凹部１４が係止されても構わない。
【００１９】
さらに歯ブラシ１の他の実施の形態について詳細に説明する。なお、柄本体２及びブラシ台３０については、上述した通りなので説明を省略する。図７に示すように、頭部３の台座９には、柄本体２と略直角となる支軸４１が形成されている。図９に示すように、支軸４１は、円軸状に形成され、先部周縁に係止凸部４２が形成されている。係止凸部４２は、係止面４３と湾曲面４５を有する。係止面４３は、係止凸部４２の下部に形成され、支軸４１と略直角となっている。湾曲面４５は、外側に突出するように湾曲しており、係止面４３の外周縁と支軸４１の上端縁に連接されている。
【００２０】
また、支軸４１は、略Ｕ字状の割り溝４６によって、先部４７が第１の半体４９と第２の半体５０の２つに分割されている。第１の半体４９及び第２の半体５０は、割り溝４６側の面の上部が円弧状に切り欠かれて凹部５１，５２が形成されている。凹部５１，５２は、下端５３，５４の位置が、前記ブラシ台３０が柄本体２に取り付けられた時の軸孔３５の最狭部３９と略同じ高さに形成されている。なお、ブラシ台３０の開口３７の内径は、第１の半体４９の上部と第２の半体５０の上部が接合して割り溝４６の隙間が閉じられた時の支軸４１の外径と略同じである。
【００２１】
図９（ａ）に示すように、ブラシ台３０は、裏面３２を柄本体２側に向けて、軸孔３５に柄本体２の支軸４１を挿通して、柄本体２に回動可能に取り付けられる。支軸４１は、係止凸部４２の湾曲面４５が軸孔３５の傾斜部３６に当接すると、第１の半体４９と第２の半体５０が内側に撓んでいき、係止凸部４２がブラシ台３０の開口３７を突き抜ける前に、第１の半体４９の上部（凹部５１の下端５３）と第２の半体５０の上部（凹部５２の下端５４）が接合して割り溝４６の隙間が閉じられる。さらに、図９（ｂ）に示すように、支軸４１を押し込むと、凹部５１の下端５３と凹部５２の下端５４の接合点５５を中心として、係止凸部４２が内側に撓むので、係止凸部４２が開口３７を突き抜ける。
【００２２】
図７に示すように、歯ブラシ１は、係止凸部４２が開口３７を突き抜けると、素材の弾性により、第１の半体４９の係止凸部４２及び第２の半体５０の係止凸部４２が接合点５５を中心として外側に拡開し、係止凸部４２が軸孔３５の最挟部３９に係止される。なお、支軸４１の割り溝４６の隙間は、第１の半体４９の上部と第２の半体５０の上部が接合したままであり、閉じた状態が維持されている。
【００２３】
歯ブラシ１は、ブラシ台３０の軸孔３５に柄本体２の支軸１０、４１を差し込んでいくと、支軸１０、４１の先部１６、４７が割り溝１５、１９、４６によって複数に分割されているので内側に撓んでいき、割り溝１５、１９、４６の隙間を閉じることができ、この閉じた状態で支軸１０、４１の係止凸部１１、４２又は係止凹部１４にブラシ台３０の軸孔３５の最挟部３９が係止されて、ブラシ台３０が柄本体２に回動可能に取り付けられる。このように、歯ブラシ１は、組立が簡単で、安価に製造することができ、支軸１０、４１の割り溝１５、１９、４６が閉じられているので、ゴミや練り歯磨き剤等が割り溝１５、１９、４６内に入ることを防ぐことができる。
【図面の簡単な説明】
【００２４】
【図１】本願発明に係る歯ブラシの一つの実施の形態を示す全体側面図である。
【図２】図１の歯ブラシの要部断面図である。
【図３】図１の歯ブラシの上方から視た要部上面図である。
【図４】図１の歯ブラシの組立状態を示す要部断面図である。
【図５】本願発明に係る歯ブラシの他の実施の形態を示す要部上面図である。
【図６】本願発明に係る歯ブラシの他の実施の形態を示す要部断面図である。
【図７】本願発明に係る歯ブラシの他の実施の形態を示す要部断面図である。
【図８】図７の歯ブラシの上方から視た要部上面図である。
【図９】図７の歯ブラシの組立状態を示す要部断面図である。
【符号の説明】
【００２５】
１  歯ブラシ
２  柄本体
３  頭部
５  握り部
６  首部
７  上面
９  台座
１０  支軸
１１  係止凸部
１２  係止面
１３  湾曲面
１４  係止凹部
１５  割り溝
１６  先部
１７  第１の半体
１８  第２の半体
１９  割り溝
２１  第１の部品
２２  第２の部品
２３  第３の部品
２４  第４の部品
３０  ブラシ台
３１  表面（上面）
３２  裏面（下面）
３３  ブラシ毛
３５  軸孔
３６  傾斜部
３７  開口
３９  最挟部
４１  支軸
４２  係止凸部
４３  係止面
４５  湾曲面
４６  割り溝
４７  先部
４９  第１の半体
５０  第２の半体
５１  凹部
５２  凹部
５３  下端
５４  下端
５５  接合点
【図１】
2006102328.tif 000003
【図２】
2006102328.tif 000004
【図３】
2006102328.tif 000005
【図４】
2006102328.tif 000006
【図５】
2006102328.tif 000007
【図６】
2006102328.tif 000008
【図７】
2006102328.tif 000009
【図８】
2006102328.tif 000010
【図９】
2006102328.tif 000011